(57)【要約】      （修正有）【課題】シャフト類のラッピングフィルムによる自動研磨機において作業時間を短縮し、面精度の向上が可能な自動研磨機を提供する。【解決手段】ラッピングフィルムを使い超仕上げ研磨加工を施す自動研磨機ＧＭにあって、起動された第１のオシレーション伝達部材Ｒ１と、第２のオシレーションを伝達する部材Ｒ２との間を連接すると共に、第２のオシレーション伝達部材を介してワークＷに異種合成オシレーションを付与するように構成した自動研磨機。【選択図】図１
2018149665.tif 000002
【特許請求の範囲】
【請求項１】
研磨材としてラッピングフィルムを使用し、ワークにオシレーションを付与して砥石研磨後に超仕上研磨加工を施す自動研磨機において、異なる２種の合成オシレーションをワークに付与して研磨加工を行うことを特徴とした自動研磨機。
【請求項２】
起動された第１のオシレーションを伝達する部材Ｒ１と、この第１のオシレーションとは別に独立して起動される第２のオシレーションを伝達する部材Ｒ２とを適宜係合することにより、ワークＷに異種の合成オシレーションを付与するように構成した事を特徴とする自動研磨機。
【発明の詳細な説明】
【技術分野】
【０００１】      この発明は主として車両用エンジン部品であるカムシャフトのカム面およびジャーナル面またはクランクシャフトのピンおよびジャーナル面の研磨加工を行う自動研磨機に関するものである。
【背景技術】
【０００２】      上記シャフト類はカム面、ピンおよびジャーナル面の摩擦抵抗を低減するため砥石研磨後に超仕上げを施す必要がある。通常、この研磨作業にはラッピングフィルムと称する研磨材を使い、ワークにオシレーションを付与して所望の研磨加工を行うのが一般的である。【０００３】      ちなみに上記ラッピングフィルムは長尺なテープ材を円盤状に巻き取ったもので、その片面にセラミックス等の砥粒を接着したものであり、このラッピングフィルムの砥粒面を回転するワークの加工外面に押し当てると同時にワークに一定のオシレーションを与えて超精密研磨加工を行っている。【０００４】        係る自動研磨機は特許文献特開２００４−２４３４４３号公報等に開示されている。然し乍ら従来の自動研磨機にあっては、その精度即ち面粗度と加工時間の面で一定レベルに達しているものの、誰もが十分に満足するものではなかった。
【先行技術文献】
【特許文献】
【特許文献】特開２００４−２４３４４３号公報
【発明の概要】
【発明が解決しようとする課題】
【０００５】      本発明は上記に鑑み、極めて有効適切な研磨方式とその装置を提供せんとしたもので、最たる目的は作業時間のより短縮化と面粗度の更なる向上を図らんとするものである。
【課題を解決するための手段】
【０００６】      以下本発明を附図実施例に基づいて説明する。図１において符号ＧＭは本発明に係る自動研磨機の全体構造を示しており、スライドレールＳＲ上に摺動可能に付設したベースＢ１の上部にはテールストックＴＳが搭載されている。又、このテールストックＴＳに対向してヘッドストックＨＳがベースＢ２上に設けたリニアスライドユニットＬＳを介して可動自在に搭載されている。【０００７】      上記ヘッドストックＨＳおよびテールストックＴＳには夫々ヘッドセンターＨＣおよびテールセンターＴＣを具備し、この両センターを介して周知の如くワークＷの両端を支承する。又、ワークＷはヘッドストックＨＳの主軸ＭＳによりモータＭおよびベルト等の回転伝達部材を介して回転駆動されるよう支持されると共にワークＷの着脱作業は伸縮シリンダーＣによってベースＢ１を前後進されることによって行われる。更にワークＷは後述するオシレーション起動手段によって揺動可能に支持されている。【０００８】      符号Ｒはラッピングフィルムの作動装置を示し、この装置はワークＷの被加工面毎に対応して複数個設置されている。ラッピングフィルムＲＦはワークＷの各カム面或いはジャーナル面を所定の接触圧のもとで押圧しつつ供給ドラムＤ１から巻取ドラムＤ２に適宜巻き取られることで新たな砥粒面が順次供給されるよう形成されている。（図２参照）尚、通常この装置は、加工中フィルム砥粒面の接触部に向けてクーラントを噴射させ、砥粒面の目詰まりを防止するように構成されている。【０００９】      一般的にオシレーションは、図３に示すような偏心量ｘを備えた回転偏心軸を使って起動する。即ち回転偏心軸の一方の軸部ｓａの前後・左右の動きを拘束し、他の偏心軸部ｓｂに係合する部材に対して振幅運動（オシレーション）を起動せんとするものである。【００１０】      本発明は、図１に示すように減速機付モータｍ１の回転を受けて図示しない回転偏心軸の作動によりコンロッドＲ１に第１のオシレーションを付与すると共にこれに加えて他の油圧モータｍ２等によって回転駆動される偏心軸Ｓ２の作動により連結部材Ｒ２に対して付与する第２のオシレーションを上記第１オシレーションに追加・合成したオシレーションを起動すべく形成されている。即ち本発明にあっては前記ヘッドストックＨＳの後端面に上記連結部材Ｒ２の一端面が常時当接するように構成し且つこの連結部材Ｒ２と前記コンロッドＲ１とを適宜連接することでヘッドストックＨＳ、主軸ＭＳ等を介してワークＷに第１，第２の合成オシレーションを加えんとしたものである。【００１１】      そして、本発明は上記２種のオシレーションの振幅と速度が互いに異なるように各回転偏心軸の偏心量と各モータの回転速度が設定されている。
【発明の効果】
【００１２】      而して、本発明に依れば多くの実験結果、異なる２種のオシレーションを合成して付与したため従来の如く単一のオシレーションを用いた研磨加工に比しその加工時間を２０〜３０％短縮化し得ることが立証された。この場合加工仕上げ面の精度（面粗度）は従来と同等に仕上げられているものである。又、面粗度の点では同一加工時間で大略１５％程度向上していることが判明した。なお、この面粗度はオシレーションの振幅よりもオシレーションの速度変化に影響し易いことも判明した。又、ワーク素材の違いやラッピングフィルの種類に応じてオシレーションの組み合わせを適宜選択するのが好ましい。【００１３】      更に本発明に依れば既設の自動研磨機に簡単に追設できるといったメリットも併せ持っている。【００１４】      以上要するに本発明は異種オシレーションの合成オシレーションをワークに付与することによって、自動研磨機の加工能力等を大幅に向上化した効果を奏するものである。
【図面の簡単な説明】
【００１５】
【図１】  本発明の全体の概略を示す正面図
【図２】  図１のＩ―Ｉ線断面の側面図
【図３】  図１で使用される重要部品の正面図
【符号の説明】
【００１６】      ＧＭ            自動研磨機全体
Ｂ１，Ｂ２      ベース
ＴＳ            テールストック
ＨＳ            ヘッドストック
ｍ１，ｍ２      モータ
Ｓ２            偏心軸
Ｒ１            第１オシレーション伝達部材（コンロッド）
Ｒ２            第２オシレーション伝達部材
ＭＳ            主軸
Ｗ              ワーク
【図１】
2018149665.tif 000003
【図２】
2018149665.tif 000004
【図３】
2018149665.tif 000005